【手続補正書】
【提出日】平成19年4月16日(2007.4.16)
【手続補正１】
【補正対象書類名】特許請求の範囲
【補正対象項目名】全文
【補正方法】変更
【補正の内容】
【特許請求の範囲】
【請求項１】
無機繊維に基づく断熱及び／又は防音製品を製造するためのサイジング組成物であって、少なくとも１種のポリカルボン酸及び少なくとも１種のポリアミンを含むことを特徴とするサイジング組成物。
【請求項２】
前記無機繊維がガラス繊維又はロックファイバーであることを特徴とする請求項１に記載のサイジング組成物。
【請求項３】
前記ポリカルボン酸が、２以上の、前記ポリアミンと反応することのできるカルボキシル基の数により表される官能価を有することを特徴とする請求項１又は２に記載のサイジング組成物。
【請求項４】
前記官能価が２以上５０００未満であることを特徴とする請求項３に記載のサイジング組成物。
【請求項５】
前記ポリカルボン酸が５０〜１０5 ｇ／ｍｏｌの分子量を有することを特徴とする請求項１〜４のいずれか一項に記載のサイジング組成物。
【請求項６】
前記ポリカルボン酸が、２、３または４に等しい官能価を有するカルボン酸から選ばれることを特徴とする請求項１〜５のいずれか一項に記載のサイジング組成物。
【請求項７】
前記ポリカルボン酸が、コハク酸、グルタル酸、アジピン酸、アゼライン酸、セバシン酸、酒石酸、フタル酸、テトラヒドロフタル酸、クエン酸、トリメリット酸、及び１，２，３，４−ブタンテトラカルボン酸（ＢＴＣＡ）から選ばれることを特徴とする請求項１〜５のいずれか一項に記載のサイジング組成物。
【請求項８】
前記ポリカルボン酸が、不飽和酸のホモ重合により得られるオリゴマー及びポリマー、並びに１種以上の不飽和酸と１種以上の他の親水性及び／又は疎水性の不飽和モノマーの共重合により得られるオリゴマー及びポリマーから選ばれることを特徴とする請求項１〜５のいずれか一項に記載のサイジング組成物。
【請求項９】
前記不飽和酸が、アクリル酸、メタクリル酸、クロトン酸、イソクロトン酸、マレイン酸、ケイ皮酸、２−メチルマレイン酸、イタコン酸、２−メチルイタコン酸及びα，β−メチレングルタル酸から選ばれ、前記１種以上の他の親水性及び／又は疎水性の不飽和モノマーが、オレフィン、スチレン及びその誘導体、並びに末端不飽和を有するマクロモノマーから選ばれることを特徴とする請求項８に記載のサイジング組成物。
【請求項１０】
前記１種以上の他の親水性及び／又は疎水性の不飽和モノマーが、エチレン、プロピレン及びイソブチレン、スチレン及びその誘導体、並びに末端不飽和を有するマクロモノマーから選ばれることを特徴とする請求項９に記載のサイジング組成物。
【請求項１１】
前記ポリカルボン酸がポリアクリル化合物から選ばれることを特徴とする請求項１〜５のいずれか一項に記載のサイジング組成物。
【請求項１２】
前記ポリカルボン酸が、ポリアクリル酸、エチレン／アクリル酸コポリマー、及びアクリル酸／マレイン酸コポリマーから選ばれることを特徴とする請求項１〜５のいずれか一項に記載のサイジング組成物。
【請求項１３】
前記ポリアミンが、２以上の、アミン官能基の数により表される官能価を有することを特徴とする請求項１〜１２のいずれか一項に記載のサイジング組成物。
【請求項１４】
前記ポリアミンが、２以上２００未満の、アミン官能基の数により表される官能価を有することを特徴とする請求項１〜１２のいずれか一項に記載のサイジング組成物。
【請求項１５】
前記アミン官能基が第１級アミン官能基及び／又は第２級アミン官能基であることを特徴とする請求項１３又は１４に記載のサイジング組成物。
【請求項１６】
前記ポリアミンが、飽和又は不飽和の線状鎖又は分岐鎖を有する脂肪族ポリアミン、１個以上のヘテロ原子を含む飽和又は不飽和の線状鎖又は分岐鎖を有する脂肪族ポリアミン、及び芳香族ポリアミンから選ばれることを特徴とする請求項１〜１５のいずれか一項に記載のサイジング組成物。
【請求項１７】
前記ヘテロ原子がＮ及び／又はＯであることを特徴とする請求項１６に記載のサイジング組成物。
【請求項１８】
前記ポリアミンが１０００ｇ／ｍｏｌ未満の分子量を有することを特徴とする請求項１〜１７のいずれか一項に記載のサイジング組成物。
【請求項１９】
前記ポリアミンが、
式：
【化１】
2006523785.tif 000001
（式中、ｘは２から１０までの値をとり、ｙは１から１０までの値をとる）
により表される化合物、並びに
ポリエチレンイミン、ポリアミノスチレン、及び塩基性媒体中でのキチンの分解から生じた生成物（キトサン）、
から選ばれることを特徴とする請求項１〜１８のいずれか一項に記載のサイジング組成物。
【請求項２０】
前記サイジング組成物が、乾燥物の部数で表した場合に、２０〜８０重量部のポリカルボン酸と８０〜２０重量部のポリアミンを含むことを特徴とする請求項１〜１９のいずれか一項に記載のサイジング組成物。
【請求項２１】
前記サイジング組成物が、ポリカルボン酸とポリアミンとの合計１００重量部の乾燥物あたり、
０〜２０部のオイル；
０〜２部のシラン；
０〜５部の触媒；及び
０〜２０部の可塑剤；
をさらに含むことを特徴とする請求項１〜２０のいずれか一項に記載のサイジング組成物。
【請求項２２】
前記ポリカルボン酸と前記ポリアミンとを水中に稀釈又は乳化させることから成る請求項１〜２０のいずれか一項に記載のサイジング組成物を製造する方法。
【請求項２３】
前記ポリカルボン酸と前記ポリアミンとを、オイル、シラン、触媒及び可塑剤から選ばれる１種以上の添加剤とともに水中に稀釈又は乳化させることから成る請求項２１に記載のサイジング組成物を製造する方法。
【請求項２４】
溶液又は水性分散液の形態にある前記ポリカルボン酸と水溶液の形態にある前記ポリアミンとを混合することから成る請求項１〜２０のいずれか一項に記載のサイジング組成物を製造する方法。
【請求項２５】
溶液又は水性分散液の形態にある前記ポリカルボン酸と水溶液の形態にある前記ポリアミンとを、オイル、シラン、触媒及び可塑剤から選ばれる１種以上の添加剤とともに混合することから成る請求項２１に記載のサイジング組成物を製造する方法。
【請求項２６】
前記ポリカルボン酸の水溶液又は分散液中に前記ポリアミンを直接導入することによりプレミックスを調製することから成る請求項１〜２０のいずれか一項に記載のサイジング組成物を製造する方法。
【請求項２７】
前記ポリカルボン酸の水溶液又は分散液中に前記ポリアミンを直接導入し、その後、オイル、シラン、触媒及び可塑剤から選ばれる１種以上の添加剤を添加することによりプレミックスを調製することから成る請求項２１に記載のサイジング組成物を製造する方法。
【請求項２８】
前記ポリカルボン酸及び前記ポリアミンに対する部分的な予備反応を行うために、前記プレミックスが熱処理にかけられる請求項２６に記載の方法。
【請求項２９】
前記熱処理が５０〜１００℃の温度で行われる請求項２８に記載の方法。
【請求項３０】
前記ポリカルボン酸及び前記ポリアミンに対する部分的な予備反応を行うために、前記プレミックスが熱処理にかけられる請求項２７に記載の方法。
【請求項３１】
前記熱処理が５０〜１００℃の温度で行われる請求項３０に記載の方法。
【請求項３２】
無機繊維をサイジングするための請求項１〜２１のいずれか一項に記載のサイジング組成物の使用。
【請求項３３】
請求項１〜２１のいずれか一項に記載のサイジング組成物により結合された無機繊維。
【請求項３４】
請求項３３に記載の無機繊維から実質的に成る断熱及び／又は防音製品。
【請求項３５】
請求項３３に記載の繊維を含むこと及び１０〜３００ｇ／ｍ2 の坪量を有することを特徴とする無機繊維のベール。